(57)【特許請求の範囲】
【請求項１】
前土台の略中央部分に形成された門形の開口を通して前方に突出する上下方向に揺動自在なペダルと、該ペダルを揺動自在に保持する底板に略中央部分を支点として支持され、支点を挟んで一端がペダルに連結されペダルの踏み込み動作により他端が突揚棒を突き上げる左右方向に長尺のペダルレバーと、ペダルを引き上げる方向にペダルレバーを付勢するばね部材とを備えたアップライトピアノのペダル機構において、上記ペダルレバーの他端の下方に、上記ばね部材の付勢力によりペダルが引き上げられた状態でペダルが門形の開口の上縁に当接しない位置でペダルレバーの揺動を規制するストッパ部材を設けたことを特徴とするアップライトピアノのペダル機構。
【発明の詳細な説明】
【０００１】
【発明の属する技術分野】
本発明は、前土台の略中央部分に形成された門形の開口を通して前方に突出する上下方向に揺動自在なペダルを備えたアップライトピアノのペダル機構に関する。
【０００２】
【従来の技術】
アップライトピアノではラウドペダルとソフトペダルとの２つのペダルを備えたものと、両ペダルの間にマフラーペダルを備えたものとがあるが、特にラウドペダルとソフトペダルとは共に、これらペダルの他に、該ペダルを揺動自在に保持する底板に略中央部分を支点として支持され、支点を挟んで一端がペダルに連結されペダルの踏み込み動作により他端が突揚棒を突き上げる長尺のペダルレバーと、ペダルを引き上げる方向にペダルレバーを付勢するばね部材とを備えている。そして、ペダルを踏み込むとばね部材の付勢力に抗してペダルレバーを該ペダルレバーの一端が引き下げられる方向に揺動させ、支点を挟んで反対側に位置する他端を押し上げることにより、該他端に連結されている突揚棒を突き上げるように構成されている。ラウドペダルに連結されたペダルレバーが揺動し突揚棒が突き上げられると鍵盤を打鍵したあと鍵盤から指を離しても弦の振動が継続する。ソフトペダルに連結されたペダルレバーが揺動し突揚棒が突き上げられると弦を叩くハンマーのストロークが短くなり弦の発音が小さくなる。該ラウドペダルやソフトペダルに対する踏み込みを解除するとばね部材の付勢力によりペダルレバーが元の状態に戻る方向に揺動され、その際ペダルが引き上げられる。そしてペダルは門形の開口の上縁に当接した状態で止まる。尚、マフラーペダルを踏み込むと弦とハンマーとの間にマフラーフエルトと呼ばれる緩衝布が介挿され音量が極めて小さくなる。該マフラーペダルは踏み込んだ状態で横にずらすことにより踏み込んだ状態で保持され、演奏中頻繁に踏み込み操作されることはない。
【０００３】
【発明が解決しようとする課題】
ラウドペダルやソフトペダルは演奏にアクセントを付けるためのペダルであるので演奏中頻繁に踏み込まれ、演奏曲によっては踏み込んだ状態から一気に足をペダルから離し、ペダルの上昇速度を制動することなく跳ね上げさせる場合がある。このような場合にはペダルは門形の開口の上縁に勢い良く衝突し、衝突音が生じる。門形の開口は前土台の略中央部分に形成されているので、発生した衝突音は制震されることなく反響板等に伝達され比較的大きな雑音となって演奏の支障となる場合がある。
【０００４】
そこで本発明は、上記の問題点に鑑み、踏み込み状態のペダルから急に足を外しても大きな雑音が生じないペダル機構を提供することを課題とする。
【０００５】
【課題を解決するための手段】
上記課題を解決するために本発明は、前土台の略中央部分に形成された門形の開口を通して前方に突出する上下方向に揺動自在なペダルと、該ペダルを揺動自在に保持する底板に略中央部分を支点として支持され、支点を挟んで一端がペダルに連結されペダルの踏み込み動作により他端が突揚棒を突き上げる左右方向に長尺のペダルレバーと、ペダルを引き上げる方向にペダルレバーを付勢するばね部材とを備えたアップライトピアノのペダル機構において、上記ペダルレバーの他端の下方に、上記ばね部材の付勢力によりペダルが引き上げられた状態でペダルが門形の開口の上縁に当接しない位置でペダルレバーの揺動を規制するストッパ部材を設けたことを特徴とする。
【０００６】
ダンパーペダルの一端はペダルが取り付けられている前土台の略中央部分に位置するが、ペダルレバーは左右方向に長手であるため他端は前土台の略中央部分から外れ、アップライトピアノのほぼ側端部に位置する。該他端の下方に上記ストッパ部材を設ければ、ペダルレバーがストッパ部材に当接しても該当接時に生じる振動が反響板等に伝達されない。
【０００７】
【発明の実施の形態】
図１及び図２を参照して、１はラウドペダルであり、該ラウドペダル１を踏み込むと図外の鍵盤を打鍵した後鍵盤から指を離しても弦が制振されない。また、２はソフトペダルであり、該ソフトペダル２を踏み込むと同じ強さで鍵盤を打鍵しても音量が少し小さくなる。尚、３はマフラーペダルであり踏み込んで左にずらすと踏み込んだ状態でロックされ、音量が大幅に小さくなる。本発明は演奏中に頻繁に踏み込まれるラウドペダル１とソフトペダル２とに関する。各ペダル１・２・３は共にアップライトピアノ（以下単にピアノという）の前面下部に取り付けられた左右方向に長手の前土台４に形成された門形の開口４１を通して前方に突出している。該開口４１は前土台４の略中央部分に形成されている。また、該前土台４の後方には水平な板状の底板５が取り付けられている。そして、各ペダル１・２・３は該底板に支持された枢軸１０により上下方向に揺動自在に保持されている。各ペダル１・２・３にはペダルレバーが連結されている。特に、ラウドペダル１及びソフトペダル２には各々ペダルレバー１１・２１が連結されている。両ペダルレバー１１・２１は共に底板に対して揺動自在に保持されている。ペダルレバー２１を例に説明すると、ペダルレバー２１の略中央部分を底板５に取り付けられたブラケット５１により上下方向に揺動するように保持されている。従って、該ペダルレバー２１は該ブラケット５１により上下方向に揺動自在に保持されることになる。ペダルレバー１１・２１の一端１１ａ・２１ａは各対応するペダル１・２に連結されている。また支点であるブラケット５１を挟んで反対側に位置する他端１１ｂ・２１ｂには上方に延びる突揚棒１２・２２が連結されている。また、ブラケット５１と一端１１ａ・２１ａとの間に位置してばね６を各々縮設した。従って、例えばソフトペダル２を踏み込むと、ばね６の付勢力に抗しながらペダルレバー２１の一端２１ａが引き下げられると共に、他端２１ｂが上がり、突揚棒２２が上方へと突き上げられる。ソフトペダル２を踏み込んだ状態から足を外すとばね６の付勢力により一端２１ａが上昇すると共にソフトペダル２が引き上げられ、同時に他端２１ｂが降下する。本発明ではペダルレバー１１・２１の他端１１ｂ・２１ｂの下方にストッパ部材であるストッパ７を取り付けた。該ストッパ７の取り付け位置はピアノの左右方向中央部分ではなく左側端部近傍になる。尚、８は反響板であり、図示しない複数本の弦が張設されたフレーム８１が該反響板８に取り付けられている。
【０００８】
図３を参照して、ストッパ７は、底板にねじ止めされる木製の駒７１と、該駒７１に螺合されるねじ７２と、該ねじ７２の頭部７２ａの上面に貼着される緩衝材７３とから構成されている。ねじ７２の上下方向の位置は、例えばソフトペダル２であればペダルレバー２１の他端２１ｂがばね６の付勢力により緩衝材７３に押接された状態で、ソフトペダル２が開口４１の上縁４１ａに接触しないように調節されている。また、ねじ７２は駒７１に対してきつく螺合しており、一旦ねじ７２の高さが調節されると、頭部７２ａを回さない限り他端２１ｂが緩衝材７３に当接を繰り返してもねじ７２が回って高さが狂うことはない。そして、該ストッパ７はピアノの左側端部近傍に位置するためペダルレバーの他端が強く当接しても該当接時に生じる振動のピアノ全体への伝達は大幅に軽減される。
【０００９】
【発明の効果】
以上の説明から明らかなように、本発明は、アップライトピアノのペダルを踏み込んだ状態から急に離しても前土台に形成した門形の開口の上縁ではなく、該開口から離れた位置に設けたストッパ部材によりペダルの位置決めを行うので位置決め時の振動が小さく、演奏中に頻繁にペダルを戻しても演奏の邪魔になるような雑音が生じない。
【図面の簡単な説明】
【図１】本発明の一実施の形態の構成を示す図
【図２】ペダル近傍の構造を示す拡大図
【図３】ストッパの機能を示す機構図
【符号の説明】
１  ラウドペダル
２  ソフトペダル
４  前土台
５  底板
６  ばね
７  ストッパ
８  反響板
１１  ペダルレバー
２１  ペダルレバー
【図１】
0003941994.tif 000002
【図２】
0003941994.tif 000003
【図３】
0003941994.tif 000004